(57)【要約】      （修正有）【課題】時計ケースの風防又はベゼルに接続された音響放射膜を介する低振動数振動の良好な放射によってリッチな音を発生させる携行式時計を提供する。【解決手段】ストライク携行式時計１には金属性材料又はアモルファス金属によって作られた音響放射膜２が設けられる。膜は特定の厚みの壁材によるループの形態であり、第１のエッジ部によってケースミドル部４に、第２のエッジ部によって風防５に固定されたベゼル３に接続される。ストライク機構によって音が発生すると風防に接続されたベゼルは、膜の振動時に、膜を介してケースミドル部に対して運動可能である。膜は、風防に接続されたベゼルの質量に依存する活性領域における特定の厚みの壁材によって形成され、式ｆ0＝（１／２π）（ｋ／ｍ）1/2に従って４ｋＨｚ以下の低い振動数である第１の振動モードの振動数ｆ0を得る。ｋは、厚みに依存する膜のスチフネス、ｍは、風防に接続されたベゼルの質量。【選択図】図１
2020076749.tif 000002
【特許請求の範囲】
【請求項１】
金属性材料又はアモルファス金属によって作られた少なくとも１つの音響放射膜（２）を備えるストライク携行式時計又はミュージカル携行式時計（１）であって、
前記膜（２）は、特定の厚みの壁材を備えたループの形態であり、第１のエッジ部（２３）によって携行式時計のケースミドル部（４）に、そして、第２のエッジ部（２０）によって携行式時計の風防（５）に固定されたベゼル（３）又は直接携行式時計の風防（５）に接続しており、
前記風防（５）に接続された前記ベゼル（３）又は前記風防（５）は、前記携行式時計のケース内の携行式時計のストライク機構によって音が発生すると、前記膜（２）が振動しているときに前記膜（２）を介して前記ケースミドル部（４）に対して運動可能であり、
前記膜（２）は、活性領域（１１）において、前記風防（５）に接続された前記ベゼル（３）又は単に前記風防（５）の質量に依存する特定の厚みの壁材によって形成され、
これによって、式ｆ0＝（１／２π）（ｋ／ｍ）1/2に従う４ｋＨｚ以下の低い振動数である第１の振動モードの振動数ｆ0を得て、
ここで、ｋは、前記膜（２）の厚みに依存する前記膜（２）のスチフネスであり、
ｍは、前記風防（５）に接続された前記ベゼル（３）又は単に前記風防（５）の質量である
ことを特徴とする携行式時計（１）。
【請求項２】
前記膜（２）は、環状の形であり、
前記膜（２）は、前記第２のエッジ部（２０）の次に環状のアーチ状の部分（２１）があり、
このアーチ状の部分（２１）は、前記携行式時計（１）の平面に垂直な前記風防（５）の平面に垂直な方向に対向するようになっており、
前記アーチ状の部分（２１）の次にまっすぐな部分（２２）があり、
このまっすぐな部分（２２）は、前記第１のエッジ部（２３）に接続される
ことを特徴とする請求項１に記載の携行式時計（１）。
【請求項３】
前記アーチ状の部分（２１）は、断面が円弧の形であり、
安静時においてその円弧の中心角度は１８０°よりも大きい
ことを特徴とする請求項２に記載の携行式時計（１）。
【請求項４】
前記アーチ状の部分（２１）は、断面が円弧の形であり、
安静時においてその円弧の中心角度は実質的に１８０°である
ことを特徴とする請求項２に記載の携行式時計（１）。
【請求項５】
前記アーチ状の部分（２１）は、断面が円弧の形であり、
安静時においてその円弧の中心角度は１８０°未満である
ことを特徴とする請求項２に記載の携行式時計（１）。
【請求項６】
前記アーチ状の部分（２１）と前記まっすぐな部分（２２）は、厚みが同じである
ことを特徴とする請求項２に記載の携行式時計（１）。
【請求項７】
まっすぐな部分（２２）は円錐台状の形である
ことを特徴とする請求項２に記載の携行式時計（１）。
【請求項８】
前記第１のエッジ部（２３）と前記第２のエッジ部（２０）の間の前記膜（２）の厚みは、８０μｍ以下であり、
これによって、前記ベゼル（３）又は前記風防（５）と連係する振動モードにおいて１ｋＨｚ以下の第１の振動モードの振動数ｆ0を得る
ことを特徴とする請求項２に記載の携行式時計（１）。
【請求項９】
前記第１のエッジ部（２３）と前記第２のエッジ部（２０）の間の前記膜（２）の厚みは、４０μｍ以下であり、
これによって、前記ベゼル（３）又は前記風防（５）と連係する振動モードにおいて５００Ｈｚのオーダーである第１の振動モードの振動数ｆ0を得る
ことを特徴とする請求項８に記載の携行式時計（１）。
【請求項１０】
前記膜は、金製のベゼル（３）と連係するように５Ｎ金を電鋳することによって得られる
ことを特徴とする請求項１に記載の携行式時計（１）。
【請求項１１】
前記膜（２）の前記第２のエッジ部（２０）は、固定リング（１０）によって固定される前記ベゼル（３）の底部の円筒状の外側面に押し付けられ又は溶接される
ことを特徴とする請求項１に記載の携行式時計（１）。
【請求項１２】
前記第２のエッジ部には、前記膜（２）の電鋳による製造において得られたヒール部（２０）があり、
前記ヒール部は、前記ベゼル（３）の前記底部の円筒状の外側面上への圧入によって前記膜（２）を固定する環状リングである
ことを特徴とする請求項１に記載の携行式時計（１）。
【請求項１３】
当該携行式時計は、前記ベゼル（３）の上に配置される相補的ベゼル（１３）を有し、この相補的ベゼル（１３）は、保護するようにはたらき、前記膜（２）の前記第１のエッジ部（２３）を前記ケースミドル部（４）の上部に固定する
ことを特徴とする請求項１に記載の携行式時計（１）。
【請求項１４】
請求項１〜１３のいずれかに記載のストライク携行式時計又はミュージカル携行式時計（１）のための膜（２）を製造する方法であって、
作られる膜（２）に対して相補的な形の回転形状の輪郭を有する基材（３０）を用意するステップと、
金属性材料又はアモルファス金属で電鋳することによって前記基材（３０）上に膜（２）を作るステップと、及び
同じ特定の厚みを有する第１のエッジ部（２３）、まっすぐな部分（２２）、アーチ状の部分（２１）及び第２のエッジ部（２０）がある膜のみを保持するように前記基材を溶かすステップと
を有することを特徴とする方法。
【請求項１５】
請求項１〜１３のいずれかに記載のストライク携行式時計又はミュージカル携行式時計（１）のための膜（２）を製造する方法であって、
金属又はアモルファス金属によって作られた環状リング（２０）を用意するステップと、
作られる膜（２）に対して相補的な形の回転形状の輪郭を有し、環状リング（２０）の形を有する環状空洞（３１）が形成されている基材（３０）を用意するステップと、
前記基材（３０）の前記環状空洞（３１）内に前記環状リング（２０）を押し込むステップと、
金属性材料かアモルファス金属で電鋳することによって基材（３０）の上の膜（２）を作ること、金属性材料又はアモルファス金属で電鋳することによって前記基材（３０）上に膜（２）をヒール部（２０）から作るステップと、及び
第１のエッジ部（２３）と、まっすぐな部分（２２）と、アーチ状の部分（２１）と、及びヒール部（２０）と一体化された第２のエッジ部とを備えた膜のみを保持するように前記基材を溶かすステップと
を有し、
前記アーチ状の部分及びまっすぐな部分は、同じ特定の厚みを有する
ことを特徴とする方法。
【請求項１６】
前記ヒール部（２０）を備え又は前記ヒール部（２０）を備えない膜（２）は、５Ｎ金によって作られている
ことを特徴とする請求項１４又は１５に記載の方法。
【発明の詳細な説明】
【技術分野】
【０００１】
本発明は、音響放射膜を備えるストライク携行式時計又はミュージカル携行式時計に関する。この携行式時計（例、腕時計、懐中時計）は、特に、裏蓋とケースミドル部を備え風防によって閉じられる携行式時計のケースを有し、この風防の下の表盤上で時間情報を表示する。この携行式時計は、さらに、携行式時計のケース内に、所定の時点で又はオンデマンドで音又は音楽を発生させるストライク機構を有する。
【０００２】
本発明は、さらに、ストライク携行式時計又はミュージカル携行式時計用の音響放射膜を作る方法に関する。
【背景技術】
【０００３】
音又は音楽を発生させるストライク機構を携行式時計に設けることが知られている。このために、ストライク携行式時計のゴング又はミュージカル携行式時計の振動プレートが携行式時計のケース内に配置される。したがって、ゴング又は振動プレートの細長材の振動が様々な外装部品に伝達される。これらの外装部品として、特に、ケースミドル部、ベゼル、風防、及び携行式時計のケースの裏蓋が挙げられる。これらの大きな外装部品は、伝達された振動のおかげで音を大気中に放射し始める。ハンマーによって打たれるゴング又は振動プレートの振動する細長材のいずれかによって音が発生すると、前記の外装部品はその発生した音を大気中に放射することができる。
【０００４】
しかし、伝統的なミュージカル携行式時計又はストライク携行式時計においては、外装部品の振動／音響の変換が複雑であり、音響的なパフォーマンスは貧弱となってしまっている。音又は旋律の音響レベルを改善し大きくするために、外装部品の幾何学的構成と境界条件を考慮しなければならない。また、外装部品の構成は、携行式時計の審美性と動作上の制約に依存する。このことによって、適応性が限定されることがある。
【０００５】
このような状況で、ストライク機構の振動／音響的パフォーマンスを一層改善させるために、携行式時計のケース内に一又は複数の膜が配置される。この膜は、携行式時計のケース内にて発生する旋律が有効に放射されるように設計されており構成している。発生する旋律の振動数は、それらが共振するように膜の固有振動モードに近くなければならない。
【０００６】
欧州特許出願ＥＰ００２８４２９Ａ１は、電気音響的アラームデバイスを備える携行式時計を開示している。このデバイスは、音響的パフォーマンスと音質を改善するように意図されている。携行式時計の風防は、支持リングによってケースミドル部上に保持される。この支持リングは、環状の振動膜である。膜の２つのエッジの間にて、曲がった中央領域がある。中央アーバーは風防に固定され、振動のための励起電磁石によって活性化される。膜は電鋳によって得ることができる。そして、交流によって励起される電子デバイスの作用によって音が発生する。この音の品質は、機械的な作用を用いるストライク機構が発生する音と同じではない。このことは課題である。
【０００７】
欧州特許ＥＰ２４０９２００Ｂ１及びＥＰ２７３８６２５Ｂ１は、一方の側にてベゼルと風防によって、他方の側にてケース裏部によって、閉じられたケースミドル部を備える携行式時計のケースを開示している。ベゼルと風防は、曲がりが９０〜１８０°である少なくとも１つの環状の折り目がある蛇腹状の弾性環状金属メンバーによって接続されており、蛇腹に接続されたベゼルと風防に表盤と垂直又は平行な運動の自由を与える。しかし、これらの特許は、ストライク機構のための放射用要素としてではなく、ベゼルに運動の自由を与えるために膜を用いつつ、膜の特定の形状を強調している。風防と金属メンバーによって形成されたアセンブリーの固有振動数は、いずれの音の悪化や歪みも避けるように、伝達された信号の振動数帯よりも高くなっている。これでは音を有効に放射することができない。したがって、このことは課題となっている。
【発明の概要】
【発明が解決しようとする課題】
【０００８】
このような状況で、本発明は、携行式時計のケースの風防又は風防に接続されたベゼルに接続された音響放射膜を介する低振動数振動の良好な音響放射によってリッチな音を発生させるように構成している、少なくとも１つの音響放射膜を備えるストライク携行式時計又はミュージカル携行式時計を提供することによって、従来技術の課題を解決することを目的とする。
【課題を解決するための手段】
【０００９】
したがって、本発明は、独立請求項１に記載の特徴を有する前記のようなストライク携行式時計又はミュージカル携行式時計に関する。
【００１０】
従属請求項２〜１３には、このストライク携行式時計又はミュージカル携行式時計の特定の実施形態が定められている。
【００１１】
ストライク携行式時計又はミュージカル携行式時計の１つの利点は、少なくとも１つのゴング又は振動プレートの細長材からの音の発生によって膜が励起されると横波が伝達されるように構成していることに基づいている。この薄い膜は、風防に固定されたベゼル又は直接携行式時計の風防と、携行式時計のケースミドル部とを接続する。したがって、ベゼルと風防の両方とも又は単に風防が運動可能になり、膜の厚み及び／又はその曲がりに応じて、４ｋＨｚ未満、又は１ｋＨｚ以下の振動モードを得るように膜と同じ振動モードで振動する。膜は、質量を構成するベゼル／風防又は風防に対してばねとしてはたらく。第１の振動モードの振動数は、スチフネスの平方根を質量で割った値に依存する。この第１の振動モードは、ピストンタイプである。したがって、膜のスチフネスが小さいほど、第１の振動モードの振動数が小さくなる。これは望ましい。
【００１２】
好ましくは、膜は電鋳プロセスによって作ることができる。膜は、厚みが８０未満μｍ、例えば、３７μｍ程度、となるように作ることができ、これによって、約８〜１０ｋＨｚの振動数の良好な音響放射を発生させつつ、放射振動数を５００Ｈｚまで減らすことができる。このような低い振動数で動作することによって、より暖かい大きな音を発生させることができる。放射されるモードが多いほど、それを人間の耳が大きな音として解釈し、音楽を奏でる場合ははっきりした音となる。
【００１３】
膜は、５Ｎ金のような金属材料によって作ることができる。
【００１４】
このために、本発明は、さらに、独立請求項１４及び１５において定められた特徴を有するストライク携行式時計又はミュージカル携行式時計用の少なくとも１つの音響放射膜を製造する方法に関する。
【００１５】
従属請求項１６に、１つの特定の製造ステップが定められている。
【００１６】
特に図面を参照しながら以下の説明を読むことで、少なくとも１つの音響放射膜を備えるストライク携行式時計又はミュージカル携行式時計、及びこのような膜を製造する方法の目的、利点及び特徴が明確になるであろう。
【図面の簡単な説明】
【００１７】
【図１】本発明の第１の実施形態に係る携行式時計のケースの風防とミドル部の近傍にある膜を有するストライク携行式時計又はミュージカル携行式時計の部分的な断面図である。
【図２】図２ａ〜２ｃは、本発明に係る環状の膜のいくつかの実施形態におけるその膜の一方の側の断面図である。
【図３】本発明の第２の実施形態に係る風防と携行式時計のケースミドル部の近傍にある膜を有するストライク携行式時計又はミュージカル携行式時計の部分的な断面図である。
【図４】図４ａ〜４ｅは、本発明の第２の実施形態に係る膜を作るいくつかのステップを概略的に表している断面図である。
【発明を実施するための形態】
【００１８】
以下の説明において、この技術分野において周知である音響放射膜を備える携行式時計のストライク機構の部品はすべて簡潔的にのみ説明している。主として、携行式時計のケース内における膜の配置と、携行式時計のケース内における音の発生の後に適切な音響放射を可能にする構成に、焦点をあてている。
【００１９】
このように、図１は、少なくとも１つの音響放射膜２を有する機械的なストライク携行式時計１又はミュージカル携行式時計１の第１の実施形態を示している。この音響放射膜２は、金属性材料又はアモルファス金属によって作られており、特定の厚みの壁材がいくつかあるループの形態である接続部品である。音響放射膜２は、膜ばねと考えることができる。この膜２は、第１のエッジ部２３によって携行式時計のケースミドル部４に、特に、ケースミドル部４の上部に、また、第２のエッジ部２０によってガスケット１２を介して携行式時計の風防５に固定されたベゼル３に、接続されるように構成している。変種の１つにおいて、膜２の第２のエッジ部２０も携行式時計の風防５に直接接続することができる。
【００２０】
なお、膜２の第１のエッジ部２３をケースミドル部４の上部に、特に、相補的ベゼル１３を介して環状溝内にて、固定することができる。この相補的ベゼル１３は、ケースミドル部４の上部にねじ込むことができ、あるいは接着結合、溶接、ろう付け又は圧着によって固定することができ、これによって、相補的ベゼル１３の下側部分がケースミドル部４の環状溝内にて第１のエッジ部２３を固定する。相補的ベゼル１３は、風防５と膜２に接続されたベゼル３を含むアセンブリーを保護するためにもはたらくことができる。
【００２１】
図１において、ストライク携行式時計又はミュージカル携行式時計１は、さらに、ストライク機構を有する。このストライク機構は、この構成において、単に、携行式時計の表盤６の下に配置された特定の数のゴング９によって示している。ストライク機構は、表盤６と裏蓋７の間に配置される計時器用ムーブメント１４に接続されており、この裏蓋７は、シーリングガスケット８によってケースミドル部４の下側部分に固定される。これらのゴング９は、互いに離されており、各ゴング９を、通常は所定の時間に、特定のハンマー（図示せず）によって打って、それぞれ異なる音を発生させることができ、これらのゴング９は旋律を奏でることができる。また、異なる長さの細長材（図示せず）を備える振動プレートを設けて、これらの細長材をアクチュエートするメンバーを用いてディスク又はシリンダーによって活性化させて、発動メンバーの構成に応じて音楽を奏でることができる。
【００２２】
図１〜４に示しているように、膜２は、アーチ状の部分ないし曲がった部分がある環状の形であり、この部分は、膜２の活性領域１１において、携行式時計の平面に垂直な方向Ｚに、携行式時計の風防５の方を向いている。アーチ状の部分は、図示している断面において円弧の形をしており、これの次には、まっすぐな部分があり、このまっすぐな部分は、第１のエッジ部２３までの円錐台状の部分を形成している。この第１の実施形態において、膜２の第２のエッジ部２０は、保持リング１０によって固定されており、この保持リング１０は、例えば、ベゼル３の底部の円筒状の外側面に接触するように押し付けられる。保持リング１０に内側環状溝を形成して、膜２の第２のエッジ部２０の内側折り目をガイドするように用いられる。また、この固定リング１０をベゼル３の底部に溶接ないしはんだ付けして、膜２とベゼル３のアセンブリーの密封性が良好であることを確実にすることができる。
【００２３】
ベゼル３には、さらに、携行式時計の風防５が載る上側エッジがあり、この風防５は、ベゼル３の上側内壁にガスケット１２によって固定されている。ベゼル３の下側内側エッジは、膜２によって保持されるベゼル３と風防５の運動を可能にするように表盤６に触れずに表盤６の上に位置している。ベゼル３と表盤６の間又はベゼル３と相補的ベゼル１３の間には、７０〜１００μｍの空間が形成されており、これによって、膜２／ベゼル３のアセンブリーが運動することができるようにする。所望に応じて、風防５に接続されたベゼル３又は風防５は、携行式時計のケース内の携行式時計のストライク機構によって音が発生した後に膜２が振動しているときに、膜２によってケースミドル部４に対して運動可能である。膜２に接続されたベゼル３は、膜２と同じ振動モードで振動し、この振動モードは、伝統的な携行式時計の外装部品の振動モードよりも相当に低い。
【００２４】
なお、風防５に接続されたベゼル３又は単に風防５に、そして、ケースミドル部４に環状の膜が固定されると、膜２に接続されたベゼル３又は膜２に接続された風防５に対して運動の自由を与えつつ、ストライク携行式時計又はミュージカル携行式時計のケース内が密封される。
【００２５】
膜２は、風防５に接続されたベゼル３の質量又は風防５のみの質量に依存する特定の厚みの壁材によって形成され、これによって、第１の振動モードの低周波ｆ0を得る。４ｋＨｚ以下、好ましくは１ｋＨｚ以下、の低周波であることが望まれる。このために、式ｆ0＝（１／２π）（ｋ／ｍ）1/2が考慮される。ここで、ｋは、膜２の厚みに依存する膜２のスチフネスであり、ｍは、風防５に接続されたベゼル３又は単に風防５の質量である。したがって、風防５に接続されたベゼル３の質量ｍを増やすことによって、ベゼル３に接続された膜２の共振振動数を低くすることができる。しかし、膜ばね２の厚みを減らして、膜２のスチフネスｋを小さくすることによって第１の振動モード振動数ｆ0を減らすことが好ましい。このようにして、この第１の実施形態において表盤の下に配置された一又は複数のゴング９の振動によって発生する横波を伝達することによって、膜２の励起が発生する。
【００２６】
風防５を備えるベゼル３に接続され又は風防５にのみ接続されるこの膜２は、携行式時計の外装部品で１ｋＨｚ〜１０ｋＨｚの範囲で音響放射バンドを覆うことができる。下で説明する電鋳製造プロセスの後に、膜２の厚みを減らしてそのスチフネスを小さくすると、音響放射バンドは、５００Ｈｚ〜１０ｋＨｚの範囲にもなる。
【００２７】
例（これに限定されない）として、厚みが２ｍｍ、直径が３７．８ｍｍのオーダーであるようなサファイア製の風防５を、質量が１３ｇのオーダーであるように金のような金属によって作られたベゼル３とともに用いることができる。ベゼル３は、形が環状であり、内径が３６ｍｍのオーダー、外径が４１．９ｍｍのオーダー、厚みが３．５５ｍｍのオーダーである。膜２は、図４ａ〜４ｅを参照しながら下で説明するように、電鋳によって作ることができ、好ましくは、所望の共振振動数と一致させるように５Ｎ金で作ることができる。ほとんどの外装部品も金によって作られているからである。膜の活性領域１１は、幅が１．２ｍｍ、方向Ｚの高さが２ｍｍであるベゼル３と相補的ベゼル１３の間の空間であることができる。
【００２８】
図２ａ〜２ｃは、本発明に係る環状の膜のいくつかの実施形態を示しており、この膜の一方の側の断面を示している。図２ａでは、膜２には、第２のエッジ部２０から第１のエッジ部２３に接続するまっすぐな部分２２までの環状部分の角度が１８０°よりも大きいようなアーチ状の部分２１がある。図２ｂでは、膜２には、第２のエッジ部２０から第１のエッジ部２３に接続するまっすぐな部分２２までの環状部分の角度が実質的に１８０°であるようなアーチ状の部分２１がある。図２ｃでは、膜２には、第２のエッジ部２０から第１のエッジ部２３に接続するまっすぐな部分２２までの環状部分の角度が１８０°よりも実質的に小さいようなアーチ状の部分２１がある。
【００２９】
このように、活性領域にある膜２の曲がりは、そのスチフネスにも影響を与えて、したがって、膜２が位置している寸法が小さくなっていることを考慮すると、方向Ｚの力の影響の下で第１の振動モード振動数の減少に影響を与える。
【００３０】
好ましくは、膜の厚みは、膜２を通して実質的に同じであり、例えば、８０μｍのオーダーである特定の厚みであることができ、３７μｍのオーダーの厚みまで薄くすることができる。これによって、上記のように風防に接続されたベゼルを用いる５Ｎの金の膜の場合に第１の振動モード振動数を５００Ｈｚまで低下させることができる。このことには、低周波で動作して、暖かく大きな音を得るという利点がある。なぜなら、人間の耳によって大きな音として、旋律を奏でるように音の集合が作られる場合にはより独特な音として、解釈される放射モードがいくつかあるためである。
【００３１】
図３は、携行式時計のケースの風防とミドル部の近傍に膜を有する本発明の第２の実施形態に係るストライク携行式時計又はミュージカル携行式時計の部分的な断面図である。この第２の実施形態における唯一の差は、膜２の第２のエッジ部２０に関する。この第２のエッジ部２０には、電鋳によって膜の製造を開始するために用いられるヒール部２０がある。膜２がその第２のエッジ部のヒール部２０とともに作られると、例えば、環状金製リングである、このヒール部は、ベゼル３の底部の外側円筒壁に直接押し付けられることができる。したがって、このことによって、一体化された膜２と固定用のヒール部２０を得ることができる。
【００３２】
仕上げられた後にストライク携行式時計内にてマウントされる膜を製造する方法について、下に説明する。このために、図４ａ〜４ｅを参照する。
【００３３】
図４ａにおいて、環状の金属リング２０が設けられている。好ましくは、この環状リング２０は、５Ｎ金で作ることができる。しかし、他の金属材料を用いることも考えられる。
【００３４】
図４ｂにおいて、回転形状の輪郭を有する基材３０は、電鋳によって膜を作るための基部として作られる。この基材は、作られる膜の形に対して相補的な輪郭を有する。この基材は、膜を破損せずに膜製造プロセスの終わりにおいて溶けることができなければならない。基材には、環状リングの寸法構成を有する環状空洞３１がある。
【００３５】
図４ｃにおいて、環状リング２０は、基材３０の環状空洞３１内に押し込まれる。この環状リング２０は空洞３１の口部にあり、膜の形成の始点としてはたらく。
【００３６】
図４ｄにおいて、膜は、５Ｎ金のような金属材料で電鋳することによって、ヒール部２０から開始して、相補的な形の基材３０上で、作られる。基材の形に応じて、膜は、環状のアーチ状の部分２１、まっすぐな部分２２及び第１のエッジ部２３があるように作られる。第２のエッジ部は、ヒール部２０に直接接続される。
【００３７】
最後に、図４ｅにおいて、この基材は、部分２０〜２３がある膜のみが残るように溶かされる。また、膜を電鋳槽に浸漬して部品を仕上げることによって、改変させることができる。特に、その厚みを改変させる。その後に、ストライク携行式時計内にて、特に、運動可能なベゼルとケースミドル部の間にて、膜を固定することができる。
【００３８】
上記の説明から、当業者であれば、請求の範囲によって定められる本発明の範囲から逸脱せずに、このような音響放射膜を備えるミュージカル携行式時計又はストライク携行式時計のいくつかの変種を考えることができるであろう。金以外の金属を用いる電鋳プロセスによって膜を作ることができる。
【符号の説明】
【００３９】
１  携行式時計
２  膜
３  ベゼル
４  ケースミドル部
５  風防
１０  固定リング
１１  活性領域
１３  相補的ベゼル
２０  第２のエッジ部
２０  環状リング
２１  アーチ状の部分
２２  まっすぐな部分
２３  第１のエッジ部
３０  基材
３１  環状空洞
【図１】
2020076749.tif 000003
【図２】
2020076749.tif 000004
【図３】
2020076749.tif 000005
【図４】
2020076749.tif 000006
【外国語明細書】
2020076749000001.pdf